(57)【要約】【課題】簡単な構成により従来の問題を解決し、駆動伝達精度の向上を図り、良好な画像を得られる感光体駆動装置を提供することにある。【解決手段】複写機、プリンタ等の感光体駆動装置において、感光体駆動モータ１出力軸２上に、感光体駆動を行なう感光体駆動伝達手段３と、感光体周辺部の駆動を行なう感光体周辺部駆動伝達手段４とを同軸上に別個に設け、駆動を行なう前記感光体駆動伝達手段３を感光体タイミングベルト７による駆動伝達とし、前記感光体周辺部の駆動伝達手段は前記駆動モータ出力軸からのギヤ列による駆動伝達とし、かつ前記感光体周辺部の駆動伝達手段４より下流のアイドルギヤ９を支持するアイドルギヤ支持部材１５を設け、これを駆動モータ支持部材１３と別体としてかつ前記駆動モータ支持部材１５と接触しないように固定する構成とした。【選択図】        図３
2004354773.tif 000002
【特許請求の範囲】
【請求項１】
電子写真式画像形成装置の感光体駆動装置において、感光体駆動モータの出力軸上に、感光体駆動を行なう感光体駆動伝達手段と、感光体周辺部の駆動を行なう感光体周辺部の駆動伝達手段とを同軸上に別個に設け、感光体駆動を行なう前記駆動伝達手段を感光体タイミングベルトによる駆動伝達とし、前記感光体周辺部の駆動伝達手段は前記駆動モータの出力軸からのギヤ列による駆動伝達とし、かつ前記感光体周辺部の駆動伝達手段より下流のアイドルギヤを支持するアイドルギヤ支持部材を設け、該アイドルギヤ支持部材を駆動モータ支持部材と別体としてかつ前記駆動モータ支持部材と接触しないように画像形成装置本体に固定する構成としたことを特徴とする感光体駆動装置。
【請求項２】
前記感光体駆動モータの出力軸に対し、前記感光体周辺部の駆動伝達手段のギヤ列を、前記感光体駆動伝達手段の前記感光体タイミングベルト巻付け部の進行方向下流側に配置する構成としたことを特徴とする請求項１記載の感光体駆動装置。
【請求項３】
感光体周辺部の駆動を行なう前記感光体周辺部の駆動伝達手段のギヤ列を支持する前記アイドルギヤ支持部材を筐体に対して固定する部分に、弾性部材を介入させたことを特徴とする請求項１記載の感光体駆動装置。
【発明の詳細な説明】
【０００１】
【発明の属する技術分野】
本発明は、電子写真方式を用いた複写機、プリンタ等の感光体駆動装置に関するものである。
【０００２】
【従来の技術】
複写機、プリンタ等の電子写真式画像形成装置の感光体駆動機構の分野においては、駆動系の負荷変動や振動等に起因して感光体周速に速度ムラを生じ、これによって形成画像に悪影響を及ぼすことを防止するため、慣性負荷やブレーキを付与する方法、速度変動を検知してこれをフィードバックする制御手段を設ける方法等が提案されている。
【０００３】
【発明が解決しようとする課題】
しかしながら、電子写真方式を用いた複写機、プリンタ等の感光体駆動を行なう場合、感光体以外の被駆動部分で発生する負荷変動、振動等が感光体駆動系へ伝達されると感光体周速の変動、速度ムラが発生し、これが画像へ悪影響を及ぼす場合があるため、これらの外部からのノイズの影響を極力避ける必要がある。
このため、感光体駆動軸上にフライホイールを設ける、感光体にブレーキを付加する等の方法、感光体速度変動を検知し、これをフィードバックして速度制御を行なう方法等が実施されている。しかしながら、前記いずれの方法の場合も、装置の大型化や機構の複雑化を伴うことは避けられない。
そこで本発明の目的は、上記の問題点を解決するために、簡単な構成により従来の問題を解決し、駆動伝達精度の向上を図り、良好な画像を得られる感光体駆動装置を提供することにある。
【０００４】
【課題を解決するための手段】
前記の課題を解決するために、請求項１記載の発明では、複写機、プリンタ等の感光体駆動装置において、感光体駆動モータの出力軸上に、感光体駆動を行なう感光体駆動伝達手段と、感光体周辺部の駆動を行なう感光体周辺部の駆動伝達手段とを同軸上に別個に設け、感光体駆動を行なう前記感光体駆動伝達手段を感光体タイミングベルトによる駆動伝達とし、前記感光体周辺部の駆動伝達手段は前記駆動モータの出力軸からのギヤ列による駆動伝達とし、かつ前記感光体周辺部の駆動伝達手段より下流のアイドルギヤを支持するアイドルギヤ支持部材を設け、これを駆動モータ支持部材と別体としてかつ前記駆動モータ支持部材と接触しないように固定する構成とした感光体駆動装置を最も主要な特徴とする。
請求項２記載の発明では、前記感光体駆動モータ出力軸に対し、前記感光体周辺部の駆動伝達手段のギヤ列を、前記感光体駆動伝達手段の前記感光体タイミングベルト巻付け部の進行方向下流側に配置する構成とした請求項１記載の感光体駆動装置を主要な特徴とする。
請求項３記載の発明では、感光体周辺部の駆動を行なう前記感光体周辺部の駆動伝達手段のギヤ列を支持する前記アイドルギヤ支持部材を筐体に対して固定する部分に、弾性部材を介入させた請求項１記載の感光体駆動装置を主要な特徴とする。
【０００５】
【発明の実施の形態】
以下、図面により本発明の実施の形態を詳細に説明する。図１は本発明を実施した複写機の駆動部構成を示す斜視図である。図２は駆動部構成を示す概略図である。図１には感光体駆動モータ１が示してある。
なお、以下の実施形態では、複写機、プリンタ等の電子写真式画像係止装置に装備される感光体を駆動するための感光体駆動装置を一例として示すが、本発明は駆動装置一般にも適用することができる。
感光体駆動モータ１の出力軸２上には感光体駆動プーリ（感光体駆動伝達手段）３と感光体周辺部駆動ギヤ（感光体周辺部の駆動伝達手段）４とが同軸上に一体的に取り付けられている。感光体ドラム軸５の端部には感光体ドラムプーリ６が取り付けられている。感光体駆動タイミングベルト７には、感光体駆動モータ１と感光体ドラム軸５が駆動連結されている。
感光体周辺部駆動プーリ８は、ギヤとタイミングプーリとが一体に形成されたものである。本実施の形態においては、アイドルギヤ９により感光体周辺部駆動ギヤ４と感光体周辺部駆動プーリ８との駆動連結を行なっている。
感光体周辺部駆動タイミングベルト１０は、感光体周辺部駆動プーリ８のタイミングプーリ８ａから転写ベルト駆動軸１１、クリーニングユニット駆動軸１２等への駆動伝達を行なうものである。
転写ベルト駆動軸１１およびクリーニングユニット駆動軸１２はそれぞれ図示しないユニットへ連結されている。このように、感光体への駆動伝達経路とその他のユニットへの駆動伝達経路とは別個に構成されている。
【０００６】
図３は感光体駆動モータの出力軸の周辺の構成を詳細に示す正面図である。図４は図３の感光体駆動モータの出力軸の周辺の構成を詳細に示す側面断面図である。図３および図４において、駆動モータ支持部材１３は、感光体駆動モータ１を装置本体へ固定するものである。
駆動モータ支持部材１３は締結部材１４により図示しない装置本体の筐体へ固定されている。アイドルギヤ支持部材１５上には感光体周辺部駆動プーリ支軸１６およびアイドルギヤ支軸１７が設けられ、それぞれに感光体周辺部駆動プーリ８、アイドルギヤ９の軸心が取り付けられている。
アイドルギヤ支持部材１５は、駆動モータ支持部材１３と同様に締結部材１４により装置本体筐体へ固定されている。また、図に示すように駆動モータ支持部材１３とアイドルギヤ支持部材１５とは接触しないような位置関係となっている。
この構成によると、感光体周辺部駆動タイミングベルト１０により駆動伝達が行なわれている被駆動部において負荷変動や振動が発生した場合に、これが駆動モータ支持部材１３に直接伝達し、感光体駆動手段３へ伝達することにより画像へ悪影響を及ぼすという伝達経路を遮断することができる。
【０００７】
また、図においてアイドルギヤ９は、感光体駆動タイミングベルト７の巻き付き範囲において感光体駆動モータ１の出力軸２の回転方向（図３に矢印で図示）下流側に配置されている。
このように配置することにより、感光体駆動モータ１の出力軸２に作用する力、すなわち感光体駆動タイミングベルト７の張力による作用力（図３において作用方向は左）と、アイドルギヤ９の負荷による作用力（図３において作用方向は右）とが相殺し、その合成力を最小にすることができる。
その結果、感光体駆動モータ１の出力軸２の傾き発生を防止して感光体駆動タイミングベルト７のアライメントやアイドルギヤ９の噛み合いを正確なものとすることができる、軸受部への負荷を低減し、負荷トルクの低減や耐久性の向上を図ることができるという効果を得る。
【０００８】
図５は感光体駆動モータの出力軸の周辺の別の構成を示す側面図である。図において、アイドルギヤ支持部材１５の固定部分には弾性部材１６が挿入されている。
この弾性部材１６を介してアイドルギヤ支持部材１５を装置本体に固定することにより、感光体周辺部駆動タイミングベルト１０により駆動伝達される上記被駆動部において振動等が発生した場合に、これが筐体を通じて感光体駆動モータ１へ伝達するのを緩和することができる。
【０００９】
【発明の効果】
以上説明したように、請求項１によれば、感光体駆動モータの出力軸から駆動伝達を行なう感光体周辺部の駆動伝達用ギヤ列を、感光体駆動モータの支持部材とは別個に設けた支持部材に取り付け、両支持部材が接触しない状態で固定される構成としている。
したがって、感光体以外の被駆動部で発生した負荷変動、振動等のノイズが駆動モータ支持部に直接伝達し、これが感光体駆動部に影響を与えることを遮断できるため、振動、速度ムラに起因する画像ムラの発生を防止し、良好な画像を得ることができる。
請求項２によれば、感光体駆動モータの出力軸に対するタイミングベルトの張力による作用力と、感光体周辺部駆動ギヤ列の負荷による作用力とが相殺し、その合力が最小となるよう配置しているため、モータ出力軸の倒れを防止し、タイミングベルトのアライメントやギヤの噛合いの精度を向上させることができるとともに、モータ出力軸の軸受部への作用力を低減し、負荷トルクの低減、耐久性の向上を図ることができる。
請求項３によれば、感光体周辺部の駆動ギヤ列支持部材の、装置本体に対する固定部分に弾性部材を介入しているため、上記ノイズが筐体を伝達経路とすることを緩衝でき、その効果がより確実なものとなる。
【図面の簡単な説明】
【図１】本発明を実施した複写機の駆動部構成を示す斜視図である。
【図２】駆動部構成を示す概略図である。
【図３】感光体駆動モータの出力軸の周辺の構成を詳細に示す正面図である。
【図４】図３の感光体駆動モータの出力軸の周辺の構成を詳細に示す側面断面図である。
【図５】感光体駆動モータの出力軸の周辺の別の構成を示す側面断面図である。
【符号の説明】
１  感光体駆動モータ
２  感光体駆動モータの出力軸
３  感光体駆動伝達手段
４  感光体周辺部駆動伝達手段
７  感光体駆動タイミングベルト
９  アイドルギヤ
１３  駆動モータ支持部材
１５  アイドルギヤ支持体
１６  弾性部材
【図１】
2004354773.tif 000003
【図２】
2004354773.tif 000004
【図３】
2004354773.tif 000005
【図４】
2004354773.tif 000006
【図５】
2004354773.tif 000007